(57)【要約】【課題】写真等２を保持する台板３の周囲を複数の分割フレーム６で囲み、この複数の分割フレーム６を連結して台板３を保持する構造のフォトフレームにおいて、分割フレーム６を簡単な操作で連結でき、組み立ての容易なフォトフレームを提供する。【解決手段】分割フレーム６と６の間を連結する結合部材７を備え、この結合部材７は、分割フレーム６と６の間に跨って挿入される本体部７ａと、この本体部７ａから一体に延設され、分割フレーム６に係合して本体部７ａを分割フレーム６と６の間で固定保持するロック片部７ｂと、によりなる構造とする。【選択図】  図２
2004194753.tif 000002
【特許請求の範囲】
【請求項１】
写真等を保持する台板の周囲を複数の分割フレームで囲み、この複数の分割フレームを連結して上記台板を保持する構造のフォトフレームにおいて、
上記複数の分割フレーム間を連結する結合部材を備え、この結合部材は、分割フレーム間に跨って挿入される本体部と、この本体部から一体に延設され、上記分割フレームに係合して上記本体部を上記分割フレーム間で固定保持するロック片部と、により構成されてなることを特徴とするフォトフレーム。
【発明の詳細な説明】
【０００１】
【発明の属する技術分野】
本発明は、写真等を飾るためのフォトフレームに関する。
【０００２】
【従来の技術】
図１に一般的なフォトフレームの構成を示す。
このフォトフレーム１は、写真２等を保持する台板３の周囲を四辺の分割フレーム６で囲み、この四辺の分割フレーム６を一体的に連結して台板３を保持する構造となっている。
従来このようなフォトフレームでは、分割フレームの連結手段として螺子が用いられており、即ち分割フレームを螺子止めによって連結して組み立てる構造が一般的であった。
【０００３】
【発明が解決しようとする課題】
しかしながら、このような螺子止めによる分割フレームの連結手段では、螺子止め作業に手間を要し、この螺子止め作業を複数箇所で行なう必要があるので、組み立てが非常に面倒であるという欠点があった。
【０００４】
本発明は斯かる点に鑑みてなされたもので、写真等を保持する台板の周囲を複数の分割フレームで囲み、この複数の分割フレームを連結して台板を保持する構造のフォトフレームにおいて、分割フレームを簡単な操作で連結でき、組み立ての容易なフォトフレームを提供することを目的とする。
【０００５】
【課題を解決するための手段】
上記の目的を達成するために本発明のフォトフレームは、
複数の分割フレーム間を連結する結合部材を備え、この結合部材は、分割フレーム間に跨って挿入される本体部と、この本体部から一体に延設され、分割フレームに係合して本体部を分割フレーム間で固定保持するロック片部と、によりなる構造としたものである。
【０００６】
【発明の実施の形態】
以下、図面を参照しながら本発明の実施例について詳細に説明する。
図１は本発明が適用されるフォトフレームの斜視図、図２はその分割フレームの連結部分を裏側から見た斜視図、図３は同平面図、図４は同分解図、図５及び図６は要部の断面図である。
【０００７】
本発明が適用されるフォトフレーム１は、図１に示す如く、写真等２を保持する台板３の周囲を四辺の分割フレーム６で囲み、この四辺の分割フレーム６を一体的に連結して台板３を保持する構造となっている。
【０００８】
台板３は図５に示す如く表板４と裏板５とによりなり、この表板４と裏板５の間に写真等２を挟み込んで保持するものである。この台板３は厚紙材によりなり、この台板３に保持された写真等２は表板４に形成された開口窓部４ａから前面に表出されて見えるようになっている。
【０００９】
分割フレーム６は樹脂製の成形品であって、この分割フレーム６に形成された保持溝部６ａに表板４と裏板５の端縁部が挿入される状態で台板３が保持されるものである。
【００１０】
このフォトフレーム１においては、四つの分割フレーム６の間の連結手段として結合部材７が用いられている。
この結合部材７は図２〜図４に示す如く全体としてＬ字形に屈曲された板状をなし、この結合部材７を分割フレーム６と６の間に挿入して連結する構造となっている。ここで分割フレーム６はその長手方向に沿って凹溝６ｂを有する形状に形成されており、この凹溝６ｂに収まる状態で分割フレーム６と６の間に結合部材７が挿入される。
尚、図２〜図４においては、分割フレームの一箇所の連結部のみを図示してあるが、四箇所の連結部ともこれと同様に構成されるものである。
【００１１】
この結合部材７もまた樹脂製の成形品であって、分割フレーム６と６の間に跨って挿入される本体部７ａと、この本体部７ａの両側から一体に延設され、分割フレーム６に係合して本体部７ａを分割フレーム６と６の間で固定保持する一対のロック片部７ｂと、により構成されている。
【００１２】
この結合部材７の本体部７ａにはその側縁に沿って鍔部８ａ，８ｂが延設されており、図５に示す如くこの鍔部８ａ，８ｂが分割フレーム６の凹溝６ｂの内側面に形成された対向溝部９ａ，９ｂに係合する状態で本体部７ａが挿入される。
【００１３】
本体部７ａとロック片部７ｂとの間には溝１０が形成されており、図６に示す如くこの溝１０による薄肉部をヒンジとしてロック片部７ｂが本体部７ａに対し起伏動作可能な構成となっている。
【００１４】
このロック片部７ｂの中央部にはコ字形に切り込み１１が形成されており、この切込み１１で囲まれた部分が可撓部１２となされている。そして図６に示すようにロック片部７ｂの内面側には、この可撓部１２の先端部分に係合突起１３が延設されており、この係合突起１３が分割フレーム６の固定台１４に係合してその状態でロックされるものである。
【００１５】
固定台１４は分割フレーム６とは別体の樹脂材によりなる成形品で、その裏面側に突出する脚柱１４ａを分割フレーム６に形成された取付穴１５に圧入して固定されており、この固定台１４の傾斜係合面１４ｂにロック片部７ｂの係合突起１３が係合されるようになっている。
【００１６】
図６Ａはロック片部のロック前の状態、Ｂはロック状態を示しており、即ち図６Ａに示すようにロック片部７ｂが起き上がった状態からこのロック片部７ｂを押し込むことにより、可撓部１２が撓んで係合突起１３が固定台１４の傾斜係合面１４ｂに係合し、同図Ｂに示すロック状態となる。
【００１７】
またこのロック片部のロックを解除するときには、同図Ｂに示す状態からロック片部７ｂの先端に指をかけてロック片部７ｂを引き起こすことにより、可撓部１２が撓んで係合突起１３が固定台１４の傾斜係合面１４ｂから外れ、同図Ａに示すようにロックが解除された状態となる。
このようにロック片部７ｂはワンタッチで簡単にロック及びロック解除を行なえるようになっている。
【００１８】
以上の如く構成される結合部材７は、上記のようにしてロック片部７ｂが分割フレーム６に対しロックされることにより、本体部７ａが分割フレーム６と６の間で確実に固定保持され、これによって本例のフォトフレーム１は四辺の分割フレーム６が結合部材７を介してしっかりと連結された状態となり、台板３が確実に保持されるものである。
【００１９】
このように本例のフォトフレーム１は、分割フレーム６と６の間に結合部材７を挿入し、ロック片部７ｂをロックさせるだけで簡単に分割フレーム６を連結して組み立てることができ、また写真の交換などでフォトフレーム１を分解する場合にも、ロック片部７ｂのロックを解除させるだけで結合部材７が外れ、簡単に分割フレーム６を分離させることができる。
【００２０】
従ってこのフォトフレームは、従来の螺子止めによる分割フレームの連結構造に比べて簡単な操作で分割フレームの組み立て及び分解を行なうことができ、取り扱いが容易なものである。
【００２１】
以上、本発明の実施例について説明したが、本発明はこの実施例の構成に限定されることなく他にも種々の実施形態を採り得るものであることは言うまでもない。
【００２２】
【発明の効果】
以上の説明で明らかな如く本発明のフォトフレームでは、従来よりも簡単な操作で組み立て及び分解を行なうことができ、これによって取り扱いが容易で使い易いフォトフレームを提供できる効果がある。
【図面の簡単な説明】
【図１】本発明が適用されるフォトフレームの斜視図である。
【図２】図１のフォトフレームにおいて、分割フレームの連結部分を裏側から見た斜視図である。
【図３】同、平面図である。
【図４】同、分解図である。
【図５】分割フレームの一部分の断面図である。
【図６】ロック片部の係合部分の断面図である。
【符号の説明】
１・・・・フォトフレーム
２・・・・写真等
３・・・・台板
６・・・・分割フレーム
７・・・・結合部材
７ａ・・・・本体部
７ｂ・・・・ロック片部
１３・・・・係合突起
１４・・・・固定台
【図１】
2004194753.tif 000003
【図２】
2004194753.tif 000004
【図３】
2004194753.tif 000005
【図４】
2004194753.tif 000006
【図５】
2004194753.tif 000007
【図６】
2004194753.tif 000008